(57)【要約】【課題】  背負心地を一層向上させ、疲労軽減効果もより高めることができる背負体を提供する。【解決手段】  背負本体２と、該背負本体２の背負人Wが両肩に掛ける左右一対の背負ベルト３，３と、を備える背負体１であって、前記背負本体２における前記背負人側の面８が、前記背負人Wの背中１６に対応する位置にある上部領域１７と、前記背負人Wの腰１８に対応する位置にある中間領域１９と、前記背負人Wの臀部の上部２０に対応する位置にある下部領域２１と、を備え、前記背負本体２の荷重の一部が前記背負人Wの臀部の上部２０で支持されるように、前記下部領域２１が前記中間領域１９から前記背負人Wの後方Rへ傾斜して延在している。【選択図】    図４
2015122972.tif 000002
【特許請求の範囲】
【請求項１】
背負本体（２）と、該背負本体（２）の背負人（W）が両肩に掛ける左右一対の背負ベルト（３，３）と、を備える背負体（１）であって、前記背負本体（２）における前記背負人側の面（８）が、前記背負人（W）の背中（１６）に対応する位置にある上部領域（１７）と、前記背負人（W）の腰（１８）に対応する位置にある中間領域（１９）と、前記背負人（W）の臀部の上部（２０）に対応する位置にある下部領域（２１）と、を備え、前記背負本体（２）の荷重の一部が前記背負人（W）の臀部の上部（２０）で支持されるように、前記下部領域（２１）が前記中間領域（１９）から前記背負人（W）の後方（R）へ傾斜して延在している、背負体。
【請求項２】
前記上部領域（１７）が前記背負人（W）の背中（１６）の後方（R）への膨らみに対応するように滑らかに窪み、前記上部領域（１７）と前記下部領域（２１）の双方が、前記背負本体（２）を横から見た状態で前記背負本体（２）の上部前端部（２ａ）よりも後方（R）に位置している、請求項１に記載の背負体。
【請求項３】
前記背負本体（２）を上から見た状態において、前記背負本体（２）における前記背負人側の面の左右方向の中央部よりも左右の両側部が前記背負人（W）の前方（F）寄りに位置するように、前記上部領域（１７）、前記中間領域（１９）及び前記下部領域（２１）が湾曲している、請求項１又は２に記載の背負体。
【請求項４】
前記背負本体（２）の前記背負人側の面に背当クッション（４）が配設され、該背当クッション（４）の前記背負人（W）への当接面は、前記上部領域（１７）に対応する上部クッション面（２３）と、前記下部領域（２１）に対応する下部クッション面（２５）と、を備え、前記上部クッション面（２３）及び前記下部クッション面（２５）が、それぞれ、前記上部領域（１７）及び前記下部領域（２１）に沿うように延在している、請求項１，２又は３に記載の背負体。
【請求項５】
前記左右一対の背負ベルト（３，３）の上端部（３ａ，３ａ）が、前記背負本体（２）を横から見た状態において、該背負本体（２）の重心（G）の真上に近い位置で前記背負本体（２）の上部に接続されている、請求項１，２，３又は４に記載の背負体。
【請求項６】
前記左右一対の背負ベルト（３，３）の上端部（３ａ，３ａ）が、左右に離間した位置で前記背負本体（２）に接続され、前記左右一対の背負ベルト（３，３）において背負人（W）の両肩に当たる部分よりも前記背負本体（２）への接続端部寄りの位置を互いに連結する連結部材（２８）を備える、請求項５に記載の背負体。
【請求項７】
前記背負本体（２）がタンク（５）を含み、該タンク（５）の前記背負人側の面の左右方向の中央部よりも左右の両側部が前記背負人（W）の前方寄りに位置するように前記タンク（５）の平面視での全体形状が湾曲している、請求項１乃至６のいずれか一項に記載の背負体。
【請求項８】
前記上部領域（１７）の左右方向の中央部に縦溝（９）が形成される、請求項１乃至７のいずれか一項に記載の背負体。
【請求項９】
前記上部クッション面（２３）の左右方向の中央部にクッション縦溝（１２）が形成され、該クッション縦溝（１２）に通気孔（１５）が貫通形成され、前記背負本体（２）における前記クッション縦溝（１２）に対応する位置に重量物縦溝（９）が形成され、前記クッション縦溝（１２）と前記重量物縦溝（９）とが前記通気孔（１５）を介して連通し、前記重量物縦溝（９）が外部へ連通している、請求項４，５，６又は７に記載の背負体。
【請求項１０】
背負式作業機（１）の構成要素としての背負式タンク（５）であって、背負状態における作業者（W）側の面（８）が、平面視で前記作業者（W）の体に沿うように湾曲している、背負式タンク。
【請求項１１】
前記作業者（W）側の面（８）の左右方向の中央部よりも左右の両側部が前記作業者（W）の前方寄りに位置するように平面視での全体形状が湾曲している、請求項１０に記載の背負式タンク。
【請求項１２】
前記作業者（W）側の面（８）の左右方向の中央部に縦溝（９）が形成されている、請求項１０又は１１に記載の背負式タンク。
【発明の詳細な説明】
【技術分野】
【０００１】
本発明は、人が背負って使用する背負体に関するものであり、例えば、背負式噴霧機、背負式散粉機、背負式送風機等の背負式作業機に関するものである。本発明はまた、背負式噴霧機や背負式散粉機の構成要素である背負式タンクに関するものである。
【背景技術】
【０００２】
背負式作業機の一例としての背負式噴霧機は、液体タンク内の噴霧液が満量の状態で総重量が２５ｋｇ程度になるので、作業者にとって噴霧作業は重労働であり、肩や背中や腰の疲労が大きい。そこで、特許文献１，２，３に示すように、作業者の背負心地の向上、疲労軽減等の目的で、背負部の形状を人体に合わせて形成することが提案されている。
【０００３】
具体的には、特許文献１に、「薬剤タンクと該薬剤タンクを支持する架台とが一体成形された作業機本体の背当部を、作業者の背中及び腰部に適合する湾曲形状に形成」（実用新案登録請求の範囲）することが記載されている。
【０００４】
特許文献２には、「背負枠の背面形状を、上部よりも下部が突出した形状に形成したこと」（請求項４，図４）、「背負枠の背面形状を、左右両端部よりも中央部が内側に湾曲した形状に形成し、該背面の湾曲度合を上部から下部に行くに従って大きくしたこと」（請求項５，図９）が記載されている。
【０００５】
特許文献３には、「背負パットの上部は上方から下方に向けて、正面方向であるエンジン側に湾曲され、下部に移行するにつれて背面方向に突出するように、側面視略Ｓ字型となるように滑らかに形成したこと」（請求項１，図２）、「背当パットの上下方向に沿って、左右略中心に溝である凹部を形成し、平面視において、左右上部と下部の、左右の端部が背面方向に湾曲するように形成し、該背当パットの左右端部によってオペレータの腰部をホールドするように形成したこと」（請求項２，図１３，図１４）が記載されている。
【０００６】
また、特許文献４には、背負式作業機を構成するタンクに対する左右一対の背負ベルトの取付態様として、「作業者の両肩に掛ける左右一対の背負ベルトの上端部を、液体タンクのうち、作業者の背中に対面し得る前向面の上端部に取り付ける態様が知られている。」（０００３段落）ことが記載され、その場合の問題点として、「タンクの重心から遠く離れた箇所に背負ベルトの上端部を取り付けているため、重心のバランスが取れず、タンクが作業者の背中から離間する方向へ倒れ、作業機全体が作業者の体から離れようとし、良好な背負心地を得ることができず、作業能率も劣るという問題があった。」（０００４段落）ことが記載されている。
【０００７】
さらに、特許文献４には、前記のような問題を解決するための手段の一例として、「タンクの頂部における中央部に背負ベルトの上端部を取り付けた態様も知られているが、通常、タンクの頂部における中央部には、投入口が設けられているため、この投入口を回避した位置、すなわち投入口を挟んだ位置に背負ベルトの上端部を取り付けた態様になる。」（０００５段落）との記載がある。
【先行技術文献】
【特許文献】
【０００８】
【特許文献１】実開平４−７８９５８号公報
【特許文献２】特開２００２−１８３３３号公報
【特許文献３】特開２００７−１５９５８８号公報
【特許文献４】特許第４９９７１３４号公報
【発明の概要】
【発明が解決しようとする課題】
【０００９】
しかしながら、特許文献１，２，３の提案のものは、作業者の背中や腰に当接する部分について配慮がなされているのみであり、作業者が直立した状態では、背負式作業機の全重量が作業者の両肩に掛けた背負ベルトでのみ支持されるようになっているので、両肩への負担が大きく、両肩の疲労が大きいという問題がある。
【００１０】
また、特許文献４に記載されている通り、背負心地の向上や疲労軽減の観点から、重量物である作業機全体が作業者の体から離れようとするのを抑制する工夫が求められるが、特許文献１，２，３のものは、特段そのような配慮がなされたものとはなっていないため、作業機の重心が激しく移動したりして作業者にとって重量負担感が大きかった。
【００１１】
本発明は、前記のような事情に鑑みてなされたもので、両肩のみにかかっていた荷重を分散させることにより、背負人の両肩の疲労を軽減できる背負体を提供しようとするものである。さらに、本発明は、背負体を背負人の体により近い位置に保持することができ、背負人の疲労をさらに軽減できる背負体を提供しようとするものである。
【００１２】
本発明はまた、前記背負体の構成要素として用いて好適な背負式タンクを提供しようとするものである。
【課題を解決するための手段】
【００１３】
前記課題を解決するため、本発明に係る背負体は、背負本体と、該背負本体の背負人が両肩に掛ける左右一対の背負ベルトと、を備える背負体であって、前記背負本体における前記背負人側の面が、前記背負人の背中に対応する位置にある上部領域と、前記背負人の腰に対応する位置にある中間領域と、前記背負人の臀部の上部に対応する位置にある下部領域と、を備え、前記背負本体の荷重の一部が前記背負人の臀部の上部で支持されるように、前記下部領域が前記中間領域から前記背負人の後方へ傾斜して延在していることを特徴とする（請求項１）。
【００１４】
背負人が前記左右一対の背負ベルトを両肩に掛けて前記背負本体を背負って直立すると、該背負本体は、前記下部領域を支点として上部が背負人の後方へ倒れようとし、前記下部領域が背負人の体を強く押圧することになる。
【００１５】
ここで、本発明では、前記背負本体の荷重の一部が前記背負人の臀部の上部で支持されるように、前記下部領域が前記中間領域から前記背負人の後方へ傾斜して延在しているので、背負本体の荷重が背負人の両肩と臀部の上部とに分散して支持される。これにより、作業者の両肩への負担が軽減され、両肩の疲労が軽減される。
【００１６】
一方、背負人が背負本体を背負って歩行する場合等、背負人がやや前かがみ姿勢を取ると、前記上部領域が背負人の背中を広い面積で押圧することになり、背負本体の重さが背負人の背中でしっかりと受け止められる。よって、背負本体の荷重が背負人の両肩と背中とに分散して支持される。
【００１７】
なお、限定はされないが、前記背負体は、前記背負本体と背負人の体との間に背当クッションを介装して使用するのが通常である。該背当クッションは、前記背負本体の背負人側の面に沿って延在する形状を予め付与されたものであってもよいし（請求項４参照）、背負本体と背負人の体との間に挟まれることでそれらに沿った形状に変形する柔軟な素材からなるものであってもよい。
【００１８】
好適な実施の一形態として、前記上部領域が前記背負人の背中の後方への膨らみに対応するように滑らかに窪み、前記上部領域と前記下部領域の双方が、前記背負本体を横から見た状態で前記背負本体の上部前端部よりも後方に位置している態様とすることもできる（請求項２）。このようにすれば、背負人が直立姿勢を取る場合も前かがみ姿勢を取る場合も、前記背負本体の重心が背負人の体のより近くに位置するので、背負人の疲労感が尚一層軽減される。
【００１９】
好適な実施の一形態として、前記背負本体を上から見た状態において、前記背負本体における前記背負人側の面の左右方向の中央部よりも左右の両側部が前記背負人の前方寄りに位置するように、前記上部領域、前記中間領域及び前記下部領域が湾曲している態様とすることもできる（請求項３）。このようにすれば、上から見た状態における前記上部領域、前記中間領域及び前記下部領域の背負人の体へのフィット感が一層向上する。
【００２０】
好適な実施の一形態として、前記背負本体の前記背負人側の面に背当クッションが配設され、該背当クッションの前記背負人への当接面は、前記上部領域に対応する上部クッション面と、前記下部領域に対応する下部クッション面と、を備え、前記上部クッション面及び前記下部クッション面が、それぞれ、前記上部領域及び前記下部領域に沿うように延在している態様とすることもできる（請求項４）。このようにすれば、前記背当クッションにより、背負心地が一層向上し、疲労感の軽減効果もより大きくなる。
【００２１】
好適な実施の一形態として、前記左右一対の背負ベルトの上端部が、前記背負本体を横から見た状態において、該背負本体の重心の真上に近い位置で前記背負本体の上部に接続されている態様とすることもできる（請求項５）。このようにすれば、前記左右一対の背負ベルトによって前記背負本体の重心の真上に近い位置で該背負本体が吊り下げられることになるので、背負状態において背負本体の上部が背負人の後方へ倒れようとする傾向が抑止される。これにより、背負人が直立姿勢を取る場合に、前記背負本体の重心が背負人の体に近い位置にくるので、背負心地が一層向上し、疲労感の軽減効果もより大きくなる。
【００２２】
好適な実施の一形態として、前記左右一対の背負ベルトの上端部が、左右に離間した位置で前記背負本体に接続され、前記左右一対の背負ベルトにおいて背負人の両肩に当たる部分よりも前記背負本体への接続端部寄りの位置を互いに連結する連結部材を備える態様とすることもできる（請求項６）。このようにすれば、前記連結部材によって前記左右一対の背負ベルトの背負人の両肩よりも後ろの部分が互いに連結されるので、例えば、前記背負本体が投入口を上面に有するタンクを含む場合等、前記左右一対の背負ベルトの上端部を左右に離間した位置で前記背負本体に接続しなければならない場合でも、前記左右一対の背負ベルトが背負人の肩から抜け落ちてしまうことが確実に防止できる。
【００２３】
好適な実施の一形態として、前記背負本体がタンクを含み、該タンクの前記背負人側の面の左右方向の中央部よりも左右の両側部が前記背負人の前方寄りに位置するように前記タンクの平面視での全体形状が湾曲している態様とすることもできる（請求項７）。このようにすれば、前記タンクと背負人の体との一体性がより高まるので、背負心地が一層向上し、疲労感の軽減効果もより大きくなる。
【００２４】
好適な実施の一形態として、前記上部領域の左右方向の中央部に縦溝が形成される態様とすることもできる（請求項８）。このようにすれば、前記縦溝内に背負人の背骨が位置することになるので、背骨に負荷がかかることがなく、良好な背負心地が得られる。
【００２５】
好適な実施の一形態として、前記上部クッション面の左右方向の中央部にクッション縦溝が形成され、該クッション縦溝に通気孔が貫通形成され、前記背負本体における前記クッション縦溝に対応する位置に重量物縦溝が形成され、前記クッション縦溝と前記重量物縦溝とが前記通気孔を介して連通し、前記重量物縦溝が外部へ連通している態様とすることもできる（請求項９）。
【００２６】
このようにすれば、前記クッション縦溝内に背負人の背骨が位置することになるので、背骨に負荷がかかることがなく、良好な背負心地が得られる。加えて、前記クッション縦溝と前記重量物縦溝とが前記通気孔を介して連通し、前記重量物縦溝が外部へ連通しているので、背負人の背中側の熱気が外部に逃げ易くなるとともに、背中が外気によって冷やされ易くもなり、快適な背負感が得られる。
【００２７】
本発明に係る背負式タンクは、背負式作業機の構成要素としての背負式タンクであって、背負状態における作業者側の面が、平面視で前記作業者の体に沿うように湾曲していることを特徴とする（請求項１０）。
【００２８】
好適な実施の一形態として、前記作業者側の面の左右方向の中央部よりも左右の両側部が前記作業者の前方寄りに位置するように平面視での全体形状が湾曲している態様とすることもできる（請求項１１）。
【００２９】
好適な実施の一形態として、前記作業者側の面の左右方向の中央部に縦溝が形成されている態様とすることもできる（請求項１２）。
【図面の簡単な説明】
【００３０】
【図１】本発明の実施の一形態に係る背負体の一例を示す背負式噴霧機の側面図である。
【図２】図１の背負式噴霧機の背負本体の斜視図である。
【図３】図２の背負本体に背当クッションを取り付けた状態の斜視図である。
【図４】図３の背負本体の、背負人の体に沿う輪郭線を示す中央縦断側面図である。
【図５】図１のＶ−Ｖ矢視断面図（上部領域及び上部クッション面の横断平面図）である。
【図６】図１のＶＩ−ＶＩ矢視断面図（中間領域及び中間クッション面の横断平面図）である。
【図７】図１のＶＩＩ−ＶＩＩ矢視断面図（下部領域及び下部クッション面の横断平面図）である。
【図８】図１の平面図である。
【発明を実施するための形態】
【００３１】
以下、添付図面を参照して、本発明の実施の一形態について説明する。
【００３２】
本発明の実施の一形態に係る背負体は、例えば、背負式噴霧機、背負式散粉機、背負式送風機等の背負式作業機として具現化される。図１には、その一例として、背負式噴霧機が示されている。
【００３３】
図１に示すように、本実施の形態に係る背負式噴霧機１は、背負本体２と、該背負本体２を作業者（背負人）Wが背負うための左右一対の背負ベルト３，３を備える。作業者Wは、前記背負ベルト３，３を両肩に掛けて背負本体２を背負い、図示しない噴霧竿を用いて、例えば野菜等に対して薬剤等の噴霧作業を行う。前記背負本体２の作業者側の面には、背当クッション４が配設されている。この背当クッション４は、発泡ウレタン等の、クッション性の良好な材料で形成され、作業者Wの体への背負本体２の当たりを和らげる。
【００３４】
前記背負本体２は、散布液を貯留する液体タンク５と、該液体タンク５を支持する架台６と、該架台６内に搭載される動力部（図示せず）を備える。前記背負本体２は、前記液体タンク５に散布液が満量の状態で、総重量が２５ｋｇ程度にもなる。前記動力部は、ポンプと、該ポンプを駆動する原動機を備える。該原動機が電動モータの場合には、電源となるバッテリが前記動力部に含まれ、前記原動機が内燃エンジンの場合には、燃料タンクが前記動力部に含まれる。動力部については本発明の要旨とは関係がないので詳細な説明を省略する。
【００３５】
図１の例では、前記架台６の上に前記液体タンク５が載置され、前記架台６に対して前記液体タンク２がねじ等で固定されている。
【００３６】
前記左右一対の背負ベルト３，３は、前記背負本体２の左右両側に配設され、各背負ベルト３，３の上端部３ａが前記液体タンク５の上部に、下端部３ｂが前記架台６の下部に、それぞれSカン等の接続具７を用いて接続される。
【００３７】
次に、図２と図３を参照して説明する。図２は前記背負本体２の斜視図であり、図３は、図２の背負本体２に前記背負クッション４を取り付けた状態の斜視図である。前記背当クッション４は、抜き差し自在な抵抗付きのピンやねじ等の適宜の固定手段（図示せず）を用いて、前記背負本体２に取り外し可能に固定される。
【００３８】
図２に示すように、前記背負本体２の作業者側の面８（以下、「クッション配設面」という）は、作業者Wの体へのフィット感が良好となるように、作業者Wの体に沿う湾曲形状を有する。本実施の形態では、前記架台６の上に前記液体タンク５が載置され、前記架台６も前記液体タンク５も作業者側の面を有するので、前記架台６と前記液体タンク５双方の作業者側の面が、作業者の体に沿う湾曲形状を有している。図３に示すように、本実施の形態では、前記背当クッション４にも、前記クッション配設面８の湾曲形状に沿う湾曲形状が付与されている。
【００３９】
本実施の形態では、図５乃至図７に示すように、前記背当クッション４は、作業者Wの背中に接触するクッション本体４ａの全周に周壁部４ｂを有する。この周壁部４ｂは、前記背負本体２のクッション配設面８に向かって前記クッション本体４ａから立ち上がっている。前記背当クッション４は、前記周壁部４ｂを前記クッション配設面８の周囲に密着させて前記背負本体２に取り付けられる。その取付状態において、前記クッション本体４ａは、前記周壁部４ｂの作用で前記クッション配設面８との間に緩衝空間Sをおいて、前記クッション配設面８の湾曲形状に沿って延在している。
【００４０】
図２に示すように、前記背負本体２のクッション配設面８には、溝９やリブ１０や開口部１１等が形成されている。同じく図３に示すように、前記背当クッション４にも、溝１２や凹部１３，１４や孔１５が形成されている。これらの配設理由は次の通りである。
【００４１】
図２に示すように、前記液体タンク５の作業者側の面には、左右方向の中央部にタンク縦溝（重量物縦溝）９が形成される。これに対応して、前記背当クッション４にも、左右方向の中央部にクッション縦溝１２が形成される（図３参照）。これらの縦溝９，１２は、作業者Wが前記背負本体２を背負った状態において、該背負本体２及び前記背当クッション４が作業者Wの背骨を圧迫することがないようにするためのものである。
【００４２】
加えて、前記クッション縦溝１２には、通気孔１５が上下方向に間隔をおいて複数形成される。また、前記背負本体２への前記背当クッション４の取付状態において、前記クッション縦溝１２と前記タンク縦溝９との間には隙間Cがあり（図５参照）、この隙間Cは、前記液体タンク５の上部にある前記タンク縦溝９の開放部（図３参照）を介して外部へ連通する。このように、前記クッション縦溝１２と前記タンク縦溝９とが前記通気孔１５を介して連通し、前記タンク縦溝９が外部へ連通しているので、作業者Wの背中側の熱気が外部に逃げ易くなるとともに、背中が外気によって冷やされ易くもなり、快適な背負感が得られる。
【００４３】
図２に示すように、前記背負本体２のクッション配設面８において、前記架台６の作業者側の面の左右方向の中央部には、開口部１１が形成される。この開口部１１は、前記背負本体２の組立工程の便宜のために形成される。すなわち、組立工程では、前記架台６内に前記動力部を配設し、前記架台６上に前記液体タンク５を載せて固定する。その後、該液体タンク５の底部にある液体出口と前記ポンプの吸液口とをホースで連結する。このホース連結作業の便宜のために、前記開口部１１が形成される。
【００４４】
なお、前記クッション配設面８への前記背当クッション４の取付時には、前記開口部１１がプラスチック製等の硬質の薄板（図示せず）で閉鎖される。この硬質の薄板は、前記開口部１１上における前記背当クッション４の支持体として作用する。
【００４５】
前記架台６には、前記開口部１１の周りを取り囲むように、補強用のリブ１０が多数形成されている。
【００４６】
図３に示すように、前記背当クッション４には、作業者Wの背中の上下方向の中央部を左右に横切るように、第一の凹部１３が形成される。この第一の凹部１３は、作業者Wの背中への前記背当クッション４の当接面積を小さくして、背中のムレを防止し、背負感を良好にするためのものである。同様に、前記第一の凹部１３の下方位置には、前記背当クッション４を横断するように第二の凹部１４が形成される。この第二の凹部１４は、作業者Wの腰の括れ部分への前記背当クッション４の当接を避け、腰の後ろのムレを防止し、背負感を良好にするためのものである。
【００４７】
以上のように、前記背負本体２のクッション配設面８や前記背負クッション４には溝やリブや開口部等が形成されているのであるが、前記背負本体２のクッション配設面８と前記背当クッション４の作業者側の面の全体としての輪郭は、作業者の体に沿って滑らかに連続する面となっている。この輪郭面の中央縦断側面図が図４に表されている。図４は、図３の背負本体２及び背当クッション４の中央縦断側面図を元にして作成したものであり、前記背負本体２のクッション配設面８と前記背当クッション４の、人体に沿って延びる上下方向の輪郭線を示している。
【００４８】
図４に示すように、前記背負本体２のクッション配設面８は、作業者Wの背中１６に対応する位置にある上部領域１７と、作業者Wの腰１８に対応する位置にある中間領域１９と、作業者Wの臀部の上部２０に対応する位置にある下部領域２１を備える。前記上部領域１７は、作業者Wの背中の後方Rへの膨らみに対応するように滑らかに窪んでいる。前記中間領域１９は、作業者Wの腰の括れに対応するように作業者Wの前方Fへ向けて滑らかに膨らんでいる。また、前記下部領域２１は、前記背負本体２の荷重の一部が前記作業者Wの臀部の上部２０で支持されるように、前記中間領域１９から前記作業者Wの後方Rへ傾斜して延在している。
【００４９】
前記下部領域２１の傾斜の度合いθは、一般的な体格の人の臀部の上部２０の傾斜角度に対応する大きさである。ここで、臀部の上部２０とは、人の体を横から見たときに腰１８の括れの部分から臀部の頂部２２（後方へ最も膨らんだ部分）へかけて斜め下向きに広がる部分をいう。具体的な数値を例示すると、前記下部領域２１の後方への傾斜角度θは、人の体を横から見たときに鉛直線Lに対して人の体の後方へ１８〜２０°傾斜した大きさである。なお、前記下部領域２１は、前記中間領域１９から後方斜め下向きに直線状に延びていても良いし、湾曲して延びていてもよい。すなわち、前記下部領域２１は、前記背負本体２の荷重の一部が前記作業者Wの臀部の上部２０で支持され得る態様で延在していればよい。
【００５０】
一方、前記背当クッション４の作業者Wへの当接面は、前記上部領域１７に対応する上部クッション面２３と、前記中間領域１９に対応する中間クッション面２４と、前記下部領域２１に対応する下部クッション面２５を備える。前記上部クッション面２３、前記中間クッション面２４及び前記下部クッション面２５は、それぞれ、前記上部領域１７、前記中間領域１９及び前記下部領域２１に沿うように延在する。すなわち、前記上部クッション面２３は、作業者Wの背中の後方Rへの膨らみに対応するように滑らかに窪んでいる。前記中間クッション面２４は、作業者Wの腰の括れに対応するように作業者Wの前方Fへ向けて滑らかに膨らんでいる。また、前記下部クッション面２５は、前記背負本体２の荷重の一部が前記作業者Wの臀部の上部２０で支持されるように、前記中間クッション面２４から作業者Wの後方Rへ傾斜して延在している。前記下部クッション面２５の傾斜角度θは前記下部領域２１の前記傾斜角度と同じである。
【００５１】
作業者Wが前記左右一対の背負ベルト３，３を両肩に掛けて前記背負本体２を背負って図４のように直立すると、該背負本体２は、前記下部クッション面２５を支点として上部が作業者Wの後方Rへ倒れようとし、前記下部クッション面２５が作業者Wの体を強く押圧することになる。
【００５２】
ここで、本実施の形態では、前記背負本体２の荷重の一部が前記作業者Wの臀部の上部２０で支持されるように、前記下部クッション面２５が前記中間クッション面２４から作業者Wの後方Rへ傾斜して延在している。このため、背負本体２の荷重が作業者Wの両肩と臀部の上部とに分散して支持される。これにより、作業者の両肩への負担が軽減され、両肩の疲労が軽減される。
【００５３】
一方、作業者Wが前記背負本体２を背負って歩行する場合等、作業者Wがやや前かがみ姿勢を取ると、前記上部クッション面２３が作業者Wの背中を広い面積で押圧することになり、前記背負本体２の重さが作業者Wの背中でしっかりと受け止められる。
【００５４】
なお、背負心地をより良好なものにするために、本実施の形態では前記背負本体２に沿う形状に成形した前記背当クッション４を用いているが、これに限定されないことはもちろんである。すなわち、特段の工夫がなされていない単純な平板状の柔軟な背当クッションを用いることもできる。この場合には、背負状態において、作業者Wの背中と前記クッション配設面８とで挟まれることで、平板状の背当クッションが作業者の背中とクッション配設面８に従った形状に適宜変形することになる。
【００５５】
平板状の柔軟なクッションを用いた場合、作業者Wが前記左右一対の背負ベルト３，３を両肩に掛けて前記背負本体２を背負って直立すると、該背負本体２は、前記下部領域２１を支点として上部が作業者Wの後方Rへ倒れようとし、前記下部領域２１が前記クッションを介して作業者Wの体を強く押圧することになる。
【００５６】
ここで、前記背負本体２の荷重の一部が前記作業者Wの臀部の上部２０で支持されるように、前記下部領域２１が前記中間領域１９から作業者Wの後方Fへ傾斜して延在しているので、前記背負本体２の荷重が作業者Wの両肩と臀部の上部２０とに分散して支持される。これにより、作業者の両肩への負担が軽減され、両肩の疲労が軽減される。
【００５７】
一方、作業者Wが前記背負本体２を背負って歩行する場合等、作業者Wがやや前かがみ姿勢を取ると、前記上部領域１７が前記クッションを介して作業者Wの背中を広い面積で押圧することになり、前記背負本体２の重さが作業者Wの背中でしっかりと受け止められる。
【００５８】
さらに、図４に示すように、前記背負本体２においては、前記上部領域１７と前記下部領域２１の双方が、前記背負本体２を横から見た状態で前記背負本体２の上部前端部２ａよりも後方Rに位置している（前記背負本体２の上部前端部２ａを通る鉛直線である一点鎖線Lを参照）。このため、作業者Wが直立姿勢を取る場合でも前かがみ姿勢を取る場合でも、前記背負本体２の重心Gが作業者Wの体の近くに位置するので、背負心地の一層の向上と作業者の疲労感の一層の軽減が得られる。
【００５９】
さらにまた、本実施の形態では、図５、図６及び図７に示すように、前記背負本体２を上から見た状態において、前記背負本体２及び前記背当クッション４における作業者側の面の左右方向の中央部よりも左右の両側部が作業者Wの前方寄りに位置するように、前記上部領域１７及び前記上部クッション面２３、前記中間領域１９及び前記中間クッション面２４、前記下部領域２１及び前記下部クッション面２５が湾曲している。このため、上から見た状態における前記上部領域１７及び前記上部クッション面２３、前記中間領域１９及び前記中間クッション面２４、前記下部領域２１及び前記下部クッション面２５の作業者Wの体へのフィット感が一層向上する。
【００６０】
図５の例では、前記液体タンク５の作業者側の面だけでなく、前記液体タンク５の平面視での全体形状が作業者Wの体に沿うように湾曲している。このため、前記液体タンク５と作業者Wの体との一体性がより高まるので、背負心地が一層向上し、疲労感の軽減効果もより大きくなる。
【００６１】
加えて、本実施の形態では、図１に示すように、前記左右一対の背負ベルト３，３の上端部３ａが、前記背負本体２を横から見た状態において、該背負本体２の重心Gの真上に近い位置で前記背負本体２の上部に接続されている。このため、前記左右一対の背負ベルト３，３によって前記背負本体２の重心Gの真上に近い位置で該背負本体２が吊り下げられることになるので、背負状態において背負本体２の上部が作業者Wの後方へ倒れようとする傾向が抑止される。これにより、作業者Wが直立姿勢を取る場合に、前記背負本体２の重心Gが作業者Wの体に近い位置にくるので、背負心地が尚一層向上し、疲労感の軽減効果も尚一層大きくなる。
【００６２】
具体的には、図８に示すように、前記左右一対の背負ベルト３，３の上端部３ａ，３ａは、前記液体タンク５上において左右方向に離間した位置、すなわち、前記液体タンク５の上部中央の投入口２６を挟む左右両側位置に、それぞれ接続される。この位置には、背負ベルト接続用の耳２７が前記液体タンク５に一体形成されており、この耳２７に設けた孔に前記Sカン７が掛止され、このSカン７に各背負ベルト３の上端部３ａが接続される。
【００６３】
また、前記左右一対の背負ベルト３，３には、連結部材としての連結ベルト２８が設けられる。この連結ベルト２８は、前記左右一対の背負ベルト３，３において作業者Wの両肩に当たる部分よりも前記液体タンク５への接続端部寄りの位置を互いに連結する。前記連結ベルト２８を設けることにより、前記左右一対の背負ベルト３，３が左右外方に開いてしまうことが抑止されるので、左右一対の背負ベルト３，３が作業者Wの肩から抜け落ちてしまうことが確実に防止できる。
【００６４】
前記連結ベルト２８は、長さ調整自在とするのが好ましい。これは、前記液体タンク５への接続端部寄りの位置における前記左右一対の背負ベルト３，３の相互間隔を作業者Wの体格等に応じて調整できるようにするためである。図８の例では、前記左右一対の背負ベルト３，３にそれぞれ左右一対の連結ベルト２８ａ，２８ｂの外端部を固着し、一方の連結ベルト２８ａの内端部に設けたバックル２９に他方の連結ベルト２８ｂの自由端３０を挿通してある。
【００６５】
本実施の形態では、架台６の上に液体タンク５を固定したタイプの背負式噴霧機を例示して説明したが、これに限るものではなく、本発明は、作業者の背中に接触する部分がすべて液体タンクである背負式噴霧機や、作業者の背中に接触する部分がすべて架台である背負式噴霧機について適用することもできる。
【００６６】
また、本発明は、液体を噴霧するものには限定されず、粉粒体を散布する背負式散粉機について適用することも可能である。この場合、前記液体タンクに替えて背負式の粉粒体タンクを備え、粉粒体散布用の気流を供給する送風機と、該送風機を駆動する原動機を備える。この場合も、作業者の背中に接触する部分がすべて前記粉粒体タンクであってもよいし、すべて架台であってもよいし、これら双方が背中に接触する形式であってもよい。
【００６７】
さらに、本発明に係る背負体は、落ち葉の吹き寄せ作業等に用いる背負式送風機について適用することもできるし、背負式の運搬具について適用することもできる。
【符号の説明】
【００６８】
１    背負式噴霧機（背負体）
２    背負本体
２ａ  背負本体の上部前端部
６５５３５，３    左右一対の背負ベルト
３ａ  背負ベルトの上端部
４    背当クッション
５    タンク
８    クッション配設面（背負本体における背負人側の面）
９    縦溝（重量物縦溝）
１２  クッション縦溝
１５  通気孔
１６  背中
１７  上部領域
１８  腰
１９  中間領域
２０  臀部の上部
２１  下部領域
２３  上部クッション面
２５  下部クッション面
２８  連結部材（連結ベルト）
F    作業者の前方
G    背負本体の重心
R    作業者の後方
W    作業者（背負人）
【図１】
2015122972.tif 000003
【図２】
2015122972.tif 000004
【図３】
2015122972.tif 000005
【図４】
2015122972.tif 000006
【図５】
2015122972.tif 000007
【図６】
2015122972.tif 000008
【図７】
2015122972.tif 000009
【図８】
2015122972.tif 000010